(57)【要約】【課題】カードを取り出さなくてもカードの種類がわかりやすいカード入れを提供する。【解決手段】カード入れ１００は、財布の札入れ部に収納される大きさのベース部１１０と、ベース部１１０に設けられカードを保持する複数のカード保持部１２０と、を有し、複数のカード保持部１２０の少なくとも１つは、ベース部１１０に対して起立した状態と倒れた状態との間で姿勢を変更可能であることを特徴とする。今使っている財布に入れるだけでカードが整理でき、カード保持部１２０の少なくとも１つをベース部１１０に対して起立した状態と倒れた状態との間で姿勢を変更可能とすることで、カード保持部１２０を本のようにめくることができる。このようにすることで、カードの種類がわかりやすい。【選択図】図１
0003217758.tif 000002
【実用新案登録請求の範囲】
【請求項１】
財布の札入れ部に収納されるカード入れであって、
財布の札入れ部に収納される大きさのベース部と、
前記ベース部に設けられカードを保持する複数のカード保持部と、
を有し、
前記複数のカード保持部の少なくとも１つは、前記ベース部に対して起立した状態と倒れた状態との間で姿勢を変更可能であることを特徴とする、カード入れ。
【請求項２】
前記ベース部は矩形であり、その一辺が折り返されていることを特徴とする、請求項１に記載のカード入れ。
【請求項３】
前記カード保持部は、前記カードが差し込まれる筒状であり、前記筒状の前面上部が斜めにカットされていることを特徴とする、請求項１又は２に記載のカード入れ。
【請求項４】
前記カード保持部は、前記ベース部に着脱可能であることを特徴とする、請求項１〜３のいずれかに記載のカード入れ。
【考案の詳細な説明】
【技術分野】
【０００１】
本考案は、財布に収納するのに適したカード入れに関する。
【背景技術】
【０００２】
近年では、クレジットカードやポイントカードなど各種のカードが用いられることが多くなった。そこで、財布に多くのカードを入れられる工夫が行われている。例えば、多くのカードを入れる部分を設けた財布が知られているが、新たに財布を買い替えないといけない。そこで財布とは別体のカード入れを、財布の札入れ部に収納することが行われている。従来、財布の札入れ部に収納されるカード入れとして、非特許文献１に開示されるものが知られている（非特許文献１参照）。
【先行技術文献】
【非特許文献】
【０００３】
【非特許文献１】インターネット＜ＵＲＬ：https://minne.com/items/11772692＞
【考案の概要】
【考案が解決しようとする課題】
【０００４】
しかしながら、非特許文献１に開示されるようなカード入れでは、新たに財布を買い替えることなく多くのカードを収納することができるものの、カードを取り出さないと何のカードか分かりづらいという問題があった。
【０００５】
そこで、本考案は、このような問題に鑑みてなされたものであり、その目的とするところは、カードを取り出さなくてもカードの種類がわかりやすいカード入れを提供することにある。
【課題を解決するための手段】
【０００６】
上記課題を解決するために、本考案によれば、財布の札入れ部に収納されるカード入れであって、財布の札入れ部に収納される大きさのベース部と、前記ベース部に設けられカードを保持する複数のカード保持部と、を有し、前記複数のカード保持部の少なくとも１つは、前記ベース部に対して起立した状態と倒れた状態との間で姿勢を変更可能であることを特徴とする、カード入れが提供される。
【０００７】
かかる構成によれば、今使っている財布に入れるだけでカードが整理でき、カード保持部の少なくとも１つをベース部に対して起立した状態と倒れた状態との間で姿勢を変更可能とすることで、カード保持部を本のようにめくることができる。このようにすることで、カードの種類がわかりやすい。なお、ベース部やカード保持部を透明の素材で構成すると、カードがさらに見やすい。
【０００８】
本考案は、さまざまな応用が可能である。本考案の応用例は、任意に組み合わせることが可能である。
【０００９】
例えば、前記ベース部は矩形であり、その一辺が折り返されているようにしてもよい。かかる構成によれば、カード入れを財布に挿入する際にカード保持部が札入れ部に引っ掛かりにくいため、カード入れを財布に挿入しやすい。なお、一辺を折り返す方向は任意でよいが、カード保持部を挟むように折り返すと、上記効果に加えて、カードが脱落しにくい。
【００１０】
また、前記カード保持部は、前記カードが差し込まれる筒状であり、前記筒状の前面上部が斜めにカットされているようにしてもよい。かかる構成によれば、カード保持部にカードを差し込みやすい。
【００１１】
また、前記カード保持部は、前記ベース部に着脱可能であってもよい。かかる構成によれば、カード保持部を必要な数だけ装着しておくことができる。
【考案の効果】
【００１２】
本考案によれば、カードを取り出さなくてもカードの種類がわかりやすいカード入れが提供される。本考案のその他の効果については、以下の考案を実施するための形態の項でも説明する。
【図面の簡単な説明】
【００１３】
【図１】カード入れ１００の全体構成を概略的に示す図である。
【図２】カード入れ１００を財布２００に入れた状態を示す図である。
【図３】カード保持部１２０の一片を示す図である。
【図４】ベース部１１０にカード保持部１２０を着脱する状態を示す図である。
【図５】カード保持部１２０にカード３００が挿入される状態を示す図である。
【図６】財布２００に収納されたカード入れ１００の使用状態を説明するための図である。
【考案を実施するための形態】
【００１４】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１５】
本考案の一実施形態について説明する。まず、本実施形態のカード入れ１００の構成について説明する。図１は、カード入れ１００の全体構成を概略的に示す図である。図２は、カード入れ１００を財布２００に入れた状態を示す図である。
【００１６】
本実施形態にかかるカード入れ１００は、財布の札入れ部に収納されるものであって、図１に示したように、財布の札入れ部に収納される大きさのベース部１１０と、ベース部１１０に設けられカードを保持する複数のカード保持部１２０と、を有する。そして、後述するように、複数のカード保持部１２０の少なくとも１つは、ベース部１１０に対して起立した状態と倒れた状態との間で姿勢を変更可能であることを特徴とする。以下、各構成要素について詳細に説明する。
【００１７】
（ベース部１１０）
ベース部１１０は、図２に示したように、財布２００の札入れ部２１０に収納される大きさの薄板であり、例えば、幅が１６〜１７ｃｍ程度で高さが８〜９ｃｍ程度であり、角が丸く落とされた略矩形である。ベース部１１０は適度な剛性を有する素材、例えば透明なプラスチック製である。ベース部１１０を透明な部材で構成することにより、ベース部１１０の裏面からもカードを確認することができる。ベース部１１０には、図１に示したように、複数のカード保持部１２０が設けられている。カード保持部１２０については後述する。
【００１８】
ベース部１１０の矩形の一辺（底辺）はカード保持部１２０を挟むように折り返されている。かかる構成によれば、図２に示したように、カード入れ１００を財布２００に収納する際に、カード保持部１２０が札入れ部２１０に引っ掛かりにくいため、カード入れ１００を財布２００に挿入しやすい。また、カード入れ１００にカードを入れた状態で、カード入れ１００を財布２００から抜き出す際にも、カードが脱落しにくい。
【００１９】
（カード保持部１２０）
カード保持部１２０は、図１に示したように、ベース部１１０に設けられており、カードを保持する機能を有する。図３は、カード保持部１２０の１片を示す図である。カード保持部１２０は、カード３００が差し込まれる筒状である。カード保持部１２０の筒状に差し込まれたカード３００は、筒状部分に抱持される。本実施形態では、カード保持部１２０は、図１に示したように、２０個設けられている。
【００２０】
カード保持部１２０は、ベース部１１０に設けられる。より詳細には、図４（ａ）に示したように、ベース部１１０には切込み１１０ａが設けられており、カード保持部１２０には先端に差し込み片１２０ｂが設けられている。そして、図４（ｂ）に示したように、各カード保持部１２０の差し込み片１２０ｂがベース部１１０の切込み１１０ａに差し込まれている。かかる構成により、カード保持部１２０はベース部１１０に対して着脱可能である。使用者にとって必要な数だけカード保持部１２０を取り付けておくことができる。
【００２１】
そして、このような構成によれば、カード保持部１２０は、ベース部１１０に対して、切込み１１０ａを軸として揺動させることができる。すなわち、カード保持部１２０は、ベース部１１０に対して起立した状態と倒れた状態との間で姿勢を変更可能である。
【００２２】
また、カード保持部１２０は、図３に示したように、カード保持部１２０の筒状の前面上部１２０ａが斜めにカットされている。かかる構成により、図５に示したように、カード３００が挿入しやすい。
【００２３】
以上、カード入れ１００の構成について説明した。次に、カード入れ１００の使い方について説明する。
【００２４】
カード入れ１００には、予め必要な数のカード保持部１２０が差し込まれている（図４も参照）。まず、カード入れ１００を財布２００の札入れ部２１０に挿入する（図２も参照）。そして使用者は、カード入れ１００のカード保持部１２０にカード３００を挿入する（図５も参照）。なお、カード保持部１２０にカード３００を挿入してから、カード入れ１００を財布２００の札入れ部２１０に挿入してもよい。
【００２５】
カードを出し入れする必要があるときには、カード入れ１００から必要なカード３００を出し入れする。この際、図６に示したように、カード保持部１２０がベース部１１０に対して起立した状態と倒れた状態との間で姿勢を変更可能である。このため、必要なカード３００を取り出しやすい。
【００２６】
カード入れ１００は、２つ以上を財布に入れるようにしてもよい。財布に収納できるカード３００をさらに増やすことができる。
【００２７】
（本実施形態の効果）
以上説明したように、本実施形態のカード入れ１００によれば、今使っている財布に入れるだけでカードが整理でき、カード保持部１２０をベース部１１０に対して起立した状態と倒れた状態との間で姿勢を変更可能とすることで、カード保持部１２０を本のようにめくることができる。このようにすることで、カードの種類がわかりやすい。
【００２８】
また、ベース部１１０が矩形であり、その一辺が折り返されているようにしたことで、カード入れ１００を財布に挿入する際にカード保持部１２０が札入れ部に引っ掛かりにくいため、カード入れ１００を財布に挿入しやすい。
【００２９】
また、カード保持部１２０が筒状であり、筒状の前面上部が斜めにカットされているようにしたことで、カード保持部１２０にカードを差し込みやすい。
【００３０】
また、カード保持部１２０をベース部１１０に着脱可能としたことで、カード保持部１２０を必要な数だけ装着しておくことができる。
【００３１】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００３２】
例えば、上記実施形態では、ベース部１１０が、角が丸く落とされた略矩形である例について説明したが、本考案はこれに限定されない。ベース部は角が丸く落とされていない矩形でもよい。また、ベース部の形状は台形など任意の形状でよい。
【００３３】
また、上記実施形態では、ベース部１１０の一辺がカード保持部１２０を挟むように折り返されている構成について説明したが、本考案はこれに限定されない。ベース部の一辺が折り返されていなくてもよい。また、ベース部の一辺を折り返す場合でも、カード保持部１２０を挟む側とは反対側に折り返してもよい。この場合でも、カード入れを財布に挿入する際にカード保持部が札入れ部に引っ掛かりにくいため、カード入れを財布に挿入しやすい。
【００３４】
また、上記実施形態では、カード保持部１２０は、カード３００が差し込まれる筒状である場合について説明したが、本考案はこれに限定されない。カード保持部の形状は任意である。
【００３５】
また、上記実施形態では、カード保持部１２０の筒状の前面上部が斜めにカットされている場合について説明したが、本考案はこれに限定されない。カード保持部にカードを入れやすい工夫をする場合でも、任意の形態を採用することができる。
【００３６】
また、上記実施形態では、カード保持部１２０はベース部１１０に着脱可能な構成について説明したが、本考案はこれに限定されない。例えば、カード保持部はベース部に熱処理で直接接着するようにしてもよい。この場合、カード保持部の数を変えることはできないが、カード保持部がベース部から外れることがない。
【００３７】
また、上記実施形態では、すべてのカード保持部１２０がベース部１１０に対して起立した状態と倒れた状態との間で姿勢を変更可能である例について説明したが、本考案はこれに限定されない。少なくとも１つのカード保持部がベース部に対して起立した状態と倒れた状態との間で姿勢を変更可能であればよい。例えば、一部のカード保持部は、ベース部に熱処理で直接接着されており、姿勢を変更できなくてもよい。
【産業上の利用可能性】
【００３８】
本考案は、財布に収納されてカードを入れられるカード入れに利用可能である。
【符号の説明】
【００３９】
１００  カード入れ
１１０  ベース部
１１０ａ  切り込み
１２０  カード保持部
１２０ｂ  差し込み片
２００  財布
２１０  札入れ部
３００  カード
【図１】
0003217758.tif 000003
【図２】
0003217758.tif 000004
【図３】
0003217758.tif 000005
【図４】
0003217758.tif 000006
【図５】
0003217758.tif 000007
【図６】
0003217758.tif 000008